【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
回転結合装置であって、
回転軸を有するシャフトの周りに配置されるように構成された結合ディスクと、
前記結合ディスクの第１の側に配置された電磁石組立体であって、
ハウジングと、
該ハウジング内に配置された導体とを含む電磁石組立体と、
前記導体とは反対側の前記結合ディスクの第２の側に配置されたアーマチュアであって、電流が前記導体に供給されると、前記結合ディスク、前記電磁石組立体及び前記アーマチュアは前記アーマチュアを前記結合ディスクと係合するように付勢する電磁回路を形成するアーマチュアと、
前記電磁石組立体のための回転防止機構であって、該回転防止機構は、
前記回転軸の周りのいずれかの回転方向において前記少なくとも１つの結合永久磁石及び前記電磁石組立体の動きを抑止するように、前記電磁石組立体の前記ハウジングの外面に取り付けられるように構成され、固定された支持構造に取り付けられた少なくとも１つの固定された永久磁石に整列された少なくとも１つの結合永久磁石を含む回転防止機構とを備える回転結合装置。
【請求項２】
前記回転防止機構は、前記固定された支持構造に取り付けられた前記少なくとも１つの固定された永久磁石をさらに含む、請求項１に記載の回転結合装置。
【請求項３】
前記回転防止機構は、前記ハウジングに固定された第１の取付ブラケットであって、前記少なくとも１つの結合永久磁石が取り付けられる第１の取付ブラケットをさらに含む、請求項１又は２に記載の回転結合装置。
【請求項４】
前記回転防止機構は、前記固定された支持構造に取り付けられるように構成された第２の取付ブラケットであって、前記少なくとも１つの固定された永久磁石が取り付けられる第２の取付ブラケットをさらに含む、請求項３に記載の回転結合装置。
【請求項５】
前記第１の取付ブラケットは、前記少なくとも１つの結合永久磁石を受けるように構成された凹部を画定し、前記凹部の深さは前記少なくとも１つの結合永久磁石の深さを上回る、請求項３に記載の回転結合装置。
【請求項６】
前記少なくとも１つの結合永久磁石を前記凹部内に封入するエラストマーカバーをさらに備える、請求項５に記載の回転結合装置。
【請求項７】
前記少なくとも１つの結合永久磁石は第１及び第２の結合永久磁石を備え、前記少なくとも１つの固定された永久磁石は第１及び第２の固定された永久磁石を備え、前記第１の結合永久磁石は、前記回転軸に対して前記第１の固定された永久磁石と整列されかつ前記回転軸に対して前記第１の固定された永久磁石から周方向に間隔を空けて配置され、前記第２の結合永久磁石は、前記回転軸に対して前記第２の固定された永久磁石と整列されかつ前記回転軸に対して前記第２の固定された永久磁石から周方向に間隔を空けて配置される、請求項１〜４のいずれか１項に記載の回転結合装置。
【請求項８】
前記第１及び第２の結合永久磁石は、前記回転軸に対して周方向において前記第１及び第２の固定された永久磁石の間に配置される、請求項７に記載の回転結合装置。
【請求項９】
前記少なくとも１つの結合永久磁石の第１の磁極と、前記少なくとも１つの結合永久磁石の前記第１の磁極に面する前記少なくとも１つの固定された永久磁石の第１の磁極は、同じ極性を有する、請求項１〜８のいずれか１項に記載の回転結合装置。
【請求項１０】
前記少なくとも１つの結合永久磁石は第１及び第２の結合永久磁石を備え、前記少なくとも１つの固定された永久磁石は第１及び第２の固定された永久磁石を備え、前記第１の結合永久磁石は、前記回転軸に対して前記第１の固定された永久磁石と整列され、前記回転軸に対して前記第１の固定された永久磁石から軸方向に間隔を空けて配置され、前記第２の結合永久磁石は、前記回転軸に対して前記第２の固定された永久磁石と整列され、前記回転軸に対して前記第２の固定された永久磁石から軸方向に間隔を空けて配置された、請求項１〜４のいずれか１項に記載の回転結合装置。
【請求項１１】
前記少なくとも１つの結合永久磁石の第１の磁極と、前記少なくとも１つの結合永久磁石の前記第１の磁極に面する前記少なくとも１つの固定された永久磁石の第１の磁極は、反対の極性を有する、請求項１〜4のいずれか1項又は請求項１０に記載の回転結合装置。
【請求項１２】
前記少なくとも１つの結合永久磁石と前記少なくとも１つの固定された永久磁石は、前記回転軸に対して周方向に間隔を空けて配置された、請求項１〜６のいずれか１項又は請求項９に記載の回転結合装置。
【請求項１３】
前記少なくとも１つの結合永久磁石及び前記少なくとも１つの固定された永久磁石は、前記回転軸に対して前記ハウジングから軸方向に間隔を空けて配置された、請求項１〜９のいずれか１項又は請求項１２に記載の回転結合装置。
【請求項１４】
前記少なくとも１つの結合永久磁石及び前記少なくとも１つの固定された永久磁石は環状の形状であり、前記少なくとも１つの結合永久磁石及び前記少なくとも１つの固定された永久磁石の一方は、前記少なくとも１つの結合永久磁石及び前記少なくとも１つの固定された永久磁石の他方内に同心円状に配置される、請求項１〜４のいずれか１項又は請求項９に記載の回転結合装置。

【手続補正２】
【補正対象書類名】明細書
【補正対象項目名】００２６
【補正方法】変更
【補正の内容】
【００２６】
スペーサー１８は、ベアリング２２及び電磁石組立体２４を、装置１０の他の構成要素と組み立てられた関係で支持するように設けられ、粉末金属を含む従来の材料から作製されてもよい。スペーサー１８は、ローター１４、電磁石組立体２４及びアーマチュア２６よりも低い透磁率を有してもよく、例えば、特定のステンレス鋼などの非強磁性材料から作製されてもよい。スペーサー１８は、軸３４の周りに配置され、概ね円筒形である。スペーサー１８の内径は、シャフト１２を受けるようにサイズ決めされる。スペーサー１８の外径は、ベアリング２２と当接するように構成された肩部を画定するように変化し、それによりベアリング２２がローターハブ３６に画定された対向する肩部とスペーサー１８との間に配置されるようにする。スペーサー１８はさらに、スペーサー１８の軸方向端面に１つ以上の軸方向に突出する突起又は切欠きを画定してもよく、突起又は切欠きは、スペーサー１８とローターハブ３６とを回転可能に結合するように、ローターハブ３６の軸方向端面の対応する切欠きに受けられる、又は軸方向端面の対応する突起を受けるように構成される。

【手続補正３】
【補正対象書類名】明細書
【補正対象項目名】００２９
【補正方法】変更
【補正の内容】
【００２９】
電磁石組立体２４は、ローター１４と、組立体２４の複数部分と、アーマチュア２６との間に電磁回路を作り出し、ローター１４と係合するアーマチュア２６の動きを引き起こし、シャフト１２とトルク伝達部材３０との間のトルクの伝達を引き起こす。組立体２４は、結合ディスク３８の一方の側に配置され、フィールドシェル又はハウジング５０と、伝導組立体５２とを含む。
【手続補正４】
【補正対象書類名】明細書
【補正対象項目名】００３６
【補正方法】変更
【補正の内容】
【００３６】
アーマチュア２６は、ローター１４とトルク伝達部材３０との間でトルクを伝達するために設けられる。アーマチュア２６は、様々な従来の金属及び鋼を含む金属合金から作製することができる。アーマチュア２６は、環状の構造であり、軸３４の周りに配置される。アーマチュア２６は、電磁石組立体２４とは反対側の結合ディスク３８の一方の側に配置され、結合ディスク３８に面するクラッチ係合面を画定する。アーマチュア２６は、空隙によって結合ディスク３８から軸方向に間隔を空けて配置される。結合ディスク３８と同様に、アーマチュア２６は、伝導組立体５２を通電するとローター１４とアーマチュア２６との間で前後に磁束が移動するのを促進する、半径方向に間隔を空けて配置された複数の角度方向に間隔を空けて配置されたスロットの列（図示せず）を含むことができる。アーマチュア２６は、伝達部材３０に結合される。特に、アーマチュア２６は、複数のリーフスプリング２８によってトルク伝達部材３０に結合されてもよい。